(57)【特許請求の範囲】
【請求項１】
複数の表示素子を備えた表示部と、太陽電池と太陽電池からの電力を蓄電する蓄電池とを備えた電源部と、表示操作器からの得点などの無線信号を受信する信号受信部と、該信号受信部の出力信号を演算または変換して表示制御信号にして前記表示部へ出力する又は前記表示操作器からの信号を有線で取り込んでこの信号を演算または変換して表示制御信号にして前記表示部へ出力する表示制御部とを含んでなり、前記電源部から前記表示部と前記信号受信部と前記表示制御部とのそれぞれに電力を供給する無線と有線で使用できる太陽電池駆動型スコアボードであって、前記表示制御部と前記表示操作器とに相互に有線にて接続できる有線接続端子を設けるとともに、前記表示操作器にデータ読み込み操作スイッチを設け、有線で使用するときは、前記表示制御部と前記表示操作器との有線接続端子間を有線で接続したうえで前記データ読み込み操作スイッチを操作すると、前記表示部の表示内容を表示操作器に読み込んで前記表示操作器の表示部に表示することを特徴とする太陽電池駆動型スコアボード。
【請求項２】
前記信号受信部は小電力型電波を受信するアンテナを備える信号受信部であることを特徴とする請求項１記載の太陽電池駆動型スコアボード。
【発明の詳細な説明】
【０００１】
【発明の属する技術分野】
本発明は太陽電池からの電力を用いて駆動する太陽電池駆動型スコアボードに関する。
【０００２】
【従来の技術】
近年、健康意識の向上に伴い、テニス場、野球場、競技場など、スポーツ施設の改築・新設が地方を中心に増加してきている。特に、高校野球に代表される野球場にあっては、スコアボードが多く設置されている。
【０００３】
ところで、図３は従来のスコアボードを示す概略図である。図３に示すように、スコアボード１は、グランドのセンター側に位置するスコアボード本体１０と、その得点表示などを変更する表示操作器１１と、表示に必要な電力を供給する商用電源制御部１２と、それらを結ぶ配線部１３とを含んで構成される。
【０００４】
【発明が解決しようとする課題】
上述のような図３に示すような、商用電源を使用するスコアボード１にあっては、設置するために、グランドの地中に電力ケーブルを布設する必要である。そのため、グランドの地表面を掘り返して配線管を埋設する、配線管埋設工事が必要であった。そして、このグランドの地表面を掘り返しての電力ケーブル布設工事は土木工事であることから、工事期間は長く、且つその期間は野球場の休止を余儀なくされ、しかもその工事費用も高額で、スコアボードの新規設置のための障害になっているという問題点があった。また一方で、地球温暖化防止・環境に優しいの観点から、電気節約可能な太陽電池によって表示駆動のできる、太陽電池駆動型スコアボードが望まれているにもかかわらず、そのようなスコアボードが提供されていないという問題点があった。
【０００５】
本発明は上記の問題点を解決するためになされたもので、その目的とするところは、地球温暖化防止に役立ち環境に優しい省エネルギー化が可能で、且つ、大がかりな工事が不要で簡単に施工の可能な省施工を可能にした、優れる太陽電池駆動型スコアボードを提供することにある。
【０００６】
【課題を解決するための手段】
本発明は上記の問題点を解決するため、請求項１記載の発明にあっては、複数の表示素子を備えた表示部と、太陽電池と太陽電池からの電力を蓄電する蓄電池とを備えた電源部と、表示操作器からの得点などの無線信号を受信する信号受信部と、該信号受信部の出力信号を演算または変換して表示制御信号にして前記表示部へ出力する又は前記表示操作器からの信号を有線で取り込んでこの信号を演算または変換して表示制御信号にして前記表示部へ出力する表示制御部とを含んでなり、前記電源部から前記表示部と前記信号受信部と前記表示制御部とのそれぞれに電力を供給する無線と有線で使用できる太陽電池駆動型スコアボードであって、前記表示制御部と前記表示操作器とに相互に有線にて接続できる有線接続端子を設けるとともに、前記表示操作器にデータ読み込み操作スイッチを設け、有線で使用するときは、前記表示制御部と前記表示操作器との有線接続端子間を有線で接続したうえで前記データ読み込み操作スイッチを操作すると、前記表示部の表示内容を表示操作器に読み込んで前記表示操作器の表示部に表示できるようにしたことを特徴とする。
【０００９】
請求項２記載の発明にあっては、前記信号受信部は小電力型電波を受信するアンテナを備える信号受信部であることを特徴とする。
【００１０】
【発明の実施の形態】
以下、本発明に係る太陽電池駆動型スコアボードの一実施の形態を図１および図２に基づいて詳細に説明する。図１は太陽電池駆動型スコアボードを示す概略図、図２は太陽電池駆動型スコアボードを示すブロック図である。
【００１１】
図１および図２に示すように、太陽電池駆動型スコアボード２は、スコアボード本体３と、表示操作器４とを含んで構成される。スコアボード本体３は、グランドのセンター側に設置するもので、表示部３０と、電源部３１と、アンテナ３２と、信号受信部３３と、表示制御部３４とを含んで構成される。
【００１２】
表示部３０は、チーム名を表示するチーム名表示部３０ａと、得点を表示する得点表示部３０ｂと、ストライク数やボール数やダウン者数を表示するカウント表示部３０ｃとを含んで構成される。また、表示部３０の表示素子としては、表示時間による消費電力を無くすために、表示を変化する一瞬のみ電力消費を発生する、ラッチ型磁気反転素子を使用している。
【００１３】
図２に示すように、電源部３１は、表示部３０、信号受信部３３、表示制御部３４などに電力を供給するもので、太陽電池３１ａと過充電保護回路３１ｂと蓄電池３１ｃと電源スイッチ３１ｄとを含んで構成される。太陽電池３１ａは、太陽光が照射されるとその太陽光エネルギーを直流電力に変換して出力するもので、過充電保護回路３１ｂを介して蓄電池３１ｃへ電力を出力する。過充電保護回路３１ｂは、蓄電池３１ｃへの蓄電が行われ過ぎることによって、蓄電池３１ｃの寿命を短くしてしまうことを防止するためのもので、蓄電池３１ｃの充電電圧を監視していて、充電電圧が所定電圧以上になると蓄電池３１ｃへの充電を遮断する。蓄電池３１ｃは、自動車用バッテリーとして良く用いられる取扱の簡単なシール型鉛バッテリーであり、太陽電池３１ａから過充電保護回路３１ｂを介して入力される電力を蓄積して平滑化する。
【００１４】
アンテナ３２は、表示操作器４から送出される信号電波を受信するもので、見通しの良いスコアボード本体３の高所に設置される。信号受信部３３は、アンテナ３２に接続されており、アンテナ３２の受信する電波の中から、表示操作器４の送出する電波のみをピックアップし、このピックアップした電波信号を復調することによって、表示操作器４から送出される信号を解読して指令信号を取り出し、この取り出した指令信号を表示制御部３４へ出力する。
【００１５】
表示制御部３４は、有線接続端子３４ａを備えるとともにマイクロプロセッサ（図示せず）を備える。表示制御部３４の備えるマイクロプロセッサは、信号受信部３３から入力される指令信号を逐次実行するとともに、信号線Ｌと有線接続端子３４ａとを介して表示操作器４の有線接続端子４９から直接入力される指令信号を逐次実行する。そして、表示制御部３４は、マイクロプロセッサの実行結果に基づいて、表示部３０に対して、各チーム名表示、得点表示、ストライク数やアウト数などのカウント表示などを逐次行う。
【００１６】
表示操作器４は、携帯可能な小さなもので、操作者による操作に基づいて表示制御部３４に対する指令信号を生成する。表示操作器４は、生成した指令信号を変調するとともに、変調した指令信号を電波にして空中に放射する。表示操作器４は、マイクロプロセッサ４０と、ファンクションキー４１，４２，４３と、表示部４４と、記憶部４５と、無線切換キー４６と、データ読み込み操作スイッチに相当する有線切換キー４７と、アンテナ４８と、有線接続端子４９とを含んで構成される。表示操作器４は、特定小電力型無線の技術基準に則ったものとされており、アンテナ３２との距離が２００ｍ程度でも、見通しさえ良ければ、無線送信は充分可能にされている。
【００１７】
マイクロプロセッサ４０は表示操作器４全体を制御する。ファンクションキー４１，４２，４３は、操作者が表示部３０の得点表示やカウント表示を変更更新する場合に操作する。表示部４４は、液晶表示素子などにて構成され、現在の得点表示やカウント表示など、スコアボード本体３の表示部３０の表示内容はもちろんのこと、各種表示が可能にされている。記憶部４５は、表示操作器４の動作プログラムを記憶する読み出し専用メモリと、必要に応じて一時的にデータを記憶する随時読み出し書き込み可能なメモリとで構成されている。
【００１８】
無線切換キー４６は、表示操作器４を無線モードとして使用する場合に押下するもので、押下することによって、表示操作器４は表示制御部３４に対する指令信号をアンテナ４８から無線信号として送出するようになる。
【００１９】
有線切換キー４７は、表示操作器４を有線モードとして使用する場合に押下するもので、押下することによって、表示操作器４は、信号線Ｌと有線接続端子４９とを介して表示制御部３４から現在のスコアボード本体３の表示部３０の表示内容をデータとして取り込み、記憶部４５に記憶するとともに、現在の表示部３０の表示内容を表示部４４に表示し、そのうえで有線モードになる。そして、有線モードになった表示操作器４は、表示制御部３４に対する指令信号を、有線接続端子４９から信号線Ｌを介して表示制御部３４へ送出できるようになる。
【００２０】
なお、この有線切換キー４７は、無線が万が一故障した場合に押下されるものであり、通常時には使用されないものである。
【００２１】
次に、上述のような太陽電池駆動型スコアボード２の運用とその動作を説明する。使用者は先ず、電源スイッチ３１ｄを投入する。すると、蓄電池３１ｃに蓄えられている電力は、ＤＣ／ＤＣ電圧変換部（図示せず）を介して適当な電圧に変換されたうえで、表示部３０、信号受信部３３、表示制御部３４などへ供給される。そして、スコアボード本体３は、表示操作器４からの電波による指令信号を受信して、指令信号に基づいた制御を行える状態で待機する。なお、蓄電池３１ｃは、電源スイッチ３１ｄが投入されたとき初めて電力を供給するものの、過充電状態ではなく、太陽光が太陽電池３１ａを照射している限り、太陽電池３１ａによって充電される。
【００２２】
ことろで、操作者が表示操作器４を操作すると、表示操作器４によって生成され変調された指令信号は、電波となってアンテナ４８から送出され、アンテナ３２を介して信号受信部３３に受信される。信号受信部３３は、変調されている指令信号を復調することによって取り出して、シリアル通信にて表示制御部３４へ送出する。
【００２３】
すると、表示制御部３４は、このシリアル通信にて送信されてくる指令信号を逐次解釈して、表示変更の必要な表示部３０に対して表示制御指示を与える。この表示制御指示信号は、マルチドロップＲＳ４２２信号にてアドレス付きで送信されるので、表示変更される表示部だけに自分のアドレスに一致したことを認識せしめるようにすることが可能で、必要な箇所にのみ表示変化を与えるようにできる。
【００２４】
しかも、表示部３０を構成する各表示素子は、ラッチ式磁気反転素子を使用しているので、表示変化の瞬間およそ約５ミリ秒／１素子の短時間しか電力消費を行わず、省電力化がなされている。また、太陽電池駆動型スコアボード２を使用しないときにあっては、電源スイッチ３１ｄが遮断されるので、蓄電池３１ｃからの放電は自己放電のみとなり、蓄電池３１ｃは充分に充電される。なお、電源スイッチ３１ｄは、使用性からしてスコアボード本体３に設置する必要は無く、選手控室やダッグアウトなどに配置しても良い。
【００２５】
また、万が一、無線系に故障が生じた場合には、有線切換キー４７を押下する。すると、表示操作器４は、信号線Ｌと有線接続端子４９とを介して、表示制御部３４から現在のスコアボード本体３の表示部３０の表示内容をデータとして取り込み、記憶部４５に記憶するとともに、現在の表示部３０の表示内容を表示部４４に表示し、有線モードになる。有線モードになった表示操作器４は、無線モードの場合と同様、表示部３０を制御することができる。
【００２６】
【発明の効果】
請求項１記載の発明によれば、スコアボードへの配電および表示制御に必要な配線などは、商用電源の受電場所および表示操作場所には不必要になり、しかもグランドの地表面を掘り返しての電力ケーブル布設工事などは不要で、施工費用が大幅に節約できるとともに、スコアボードに必要な電力を太陽電池によって賄うことができ、省電力化が可能で環境に優しい、優れる太陽電池駆動型スコアボードを提供できるという効果を奏するうえに万が一無線系に故障が生じても、有線系を用いてスコアボードの制御を行うことが可能であり、冗長性に富み、信頼性の向上した、優れる太陽電池駆動型スコアボードを提供できるという効果を奏する。
【００２９】
請求項２記載の発明によれば、請求項１記載の発明の効果に加えて更に、広いグランドでも充分に無線による表示部の制御が可能な、優れる太陽電池駆動型スコアボードを提供できるという効果を奏する。
【図面の簡単な説明】
【図１】本発明に係る一実施の形態の太陽電池駆動型スコアボードを示す概略図である。
【図２】上記太陽電池駆動型スコアボードを示すブロック図である。
【図３】従来のスコアボードを示す概略図である。
【符号の説明】
２            太陽電池駆動型スコアボード
３０          表示部
３１          電源部
３１ａ        太陽電池
３１ｂ        過充電保護回路
３１ｃ        蓄電池
３２          アンテナ
３３          信号受信部
３４          表示制御部
３４ａ        有線接続端子
４            表示操作器
４７          データ読み込み操作スイッチ
４９          有線接続端子
Ｌ            有線
【図１】
0003668376.tif 000002
【図２】
0003668376.tif 000003
【図３】
0003668376.tif 000004